(57)【要約】  バッテリが設置された複数のかごを備えたエレベーターシステムにおいて運行効率を向上させることができるエレベーターの群管理装置を提供する。群管理装置（１）は、新規乗場呼びが発生した場合に、バッテリ（７）が設置された複数のかご（５）の現在の運行計画及びバッテリ残量に基づいて、複数のかご（５）のうち仮更新された運行計画が完了するまでのバッテリ消費量よりもバッテリ残量が少ないかご（５）をサービス不可かごと判定する判定部（１４）と、サービス不可かごでないかご（５）毎に、仮更新された運行計画が完了するまでのバッテリ消費量と現在の運行計画が完了するまでのバッテリ消費量との差分を算出する差分計算部（１５）と、差分計算部（１５）によって算出されたバッテリ消費量の差分に基づいて、サービス不可かごでないかご（５）のいずれか１つに新規乗場呼びを割り当てる呼び割当部（１６）と、を備える。
2020100229.tif 000002
【特許請求の範囲】
【請求項１】
新規乗場呼びが発生した場合に、給電階で充電可能なバッテリが設置された複数のかごの現在の運行計画及びバッテリ残量に基づいて、複数のかごのうち前記新規乗場呼びへのサービスを含めて仮更新された運行計画が完了するまでのバッテリ消費量よりもバッテリ残量が少ないかごをサービス不可かごと判定する判定部と、
サービス不可かごでないかご毎に、前記新規乗場呼びへのサービスを含めて仮更新された運行計画が完了するまでのバッテリ消費量と現在の運行計画が完了するまでのバッテリ消費量との差分を算出する差分計算部と、
前記差分計算部によって算出されたバッテリ消費量の差分に基づいて、サービス不可かごでないかごのいずれか１つに前記新規乗場呼びを割り当てる呼び割当部と、
を備えたエレベーターの群管理装置。
【請求項２】
前記呼び割当部は、サービス不可かごでないかごのうちバッテリ消費量の差分が最小となるかごに前記新規乗場呼びを割り当てる請求項１に記載のエレベーターの群管理装置。
【請求項３】
サービス不可かごでないかご毎に、前記新規乗場呼びが登録された時刻から前記新規乗場呼びへのサービスを含めて仮更新された運行計画において前記新規乗場呼びが登録された階にかごが到着する時刻までの経過時間である待ち時間を算出する待ち時間計算部、
を更に備え、
前記呼び割当部は、サービス不可かごでないかご毎に、バッテリ消費量の差分に第１係数を乗算して得た値と待ち時間に第２係数を乗算して得た値との和を評価値として算出し、サービス不可かごでないかごのうち評価値が最小となるかごに前記新規乗場呼びを割り当てる請求項１に記載のエレベーターの群管理装置。
【請求項４】
前記呼び割当部は、バッテリ残量が少ないほど前記第２係数に対する前記第１係数の比が大きくなるように前記第１係数及び前記第２係数を設定する請求項３に記載のエレベーターの群管理装置。
【請求項５】
前記判定部は、複数のかごのうち前記新規乗場呼びへのサービスを含めて仮更新された運行計画の完了時に位置する階から給電階まで移動するための給電走行でのバッテリ消費量に基づく閾値よりも仮更新された運行計画の完了時のバッテリ残量が小さくなるかごを要給電かごと判定し、
前記呼び割当部は、要給電かごに前記新規乗場呼びを割り当てた場合には、前記新規乗場呼びへのサービスを含めて更新された運行計画の完了後に当該かごに給電走行を実施させるように当該かごに対応するかご制御装置に対して指示する請求項１から請求項４のいずれか１項に記載のエレベーターの群管理装置。
【請求項６】
前記判定部は、給電走行に要する時間及び給電走行中のかごドアの戸開閉回数に基づいて、給電走行でのバッテリ消費量をかご毎に算出する請求項５に記載のエレベーターの群管理装置。
【請求項７】
前記差分計算部は、サービス不可かごでないかご毎に、現在の運行計画を完了するまでに要する時間及び現在の運行計画におけるかごドアの戸開閉回数に基づいて、現在の運行計画が完了するまでのバッテリ消費量を算出する請求項１から請求項６のいずれか１項に記載のエレベーターの群管理装置。
【請求項８】
前記判定部は、前記新規乗場呼びが出発階及び行先方向を示し目的階を示していない場合に、時間帯別及び階別に記憶された過去の累計降車人数に基づいて前記新規乗場呼びを登録した乗客の目的階を推定し、当該出発階及び推定された当該目的階に基づいて複数のかごの運行計画を前記新規乗場呼びへのサービスを含んだ内容に仮更新する請求項１から請求項７のいずれか１項に記載のエレベーターの群管理装置。
【発明の詳細な説明】
【技術分野】
【０００１】
この発明は、エレベーターの群管理装置に関する。
【背景技術】
【０００２】
特許文献１には、バッテリが設置された複数のかごを備えたエレベーターシステムが開示されている。かごのバッテリは、給電階に設けられた給電装置によって充電される。上記のシステムでは、かごに新規の乗場呼びが割り当てられた際に、当該かごのバッテリ残量が少ない場合には当該かごへの追加呼びの割り当てが禁止される。追加呼びの割り当てが禁止されたかごは、既に割り当てられている呼びに対するサービス完了後に給電走行を行う。
【先行技術文献】
【特許文献】
【０００３】
【特許文献１】日本特許第５８９２７５７号公報
【発明の概要】
【発明が解決しようとする課題】
【０００４】
特許文献１に記載のシステムでは、呼びの割当方法によっては、複数のかごのうちバッテリ消費量が相対的に多いかごに新規の呼びが割り当てられ得る。この場合、給電走行の頻度が上昇するため、エレベーターの運行効率が低下する。【０００５】
この発明は、上記の課題を解決するためになされた。その目的は、バッテリが設置された複数のかごを備えたエレベーターシステムにおいて運行効率を向上させることができるエレベーターの群管理装置を提供することである。
【課題を解決するための手段】
【０００６】
この発明に係るエレベーターの群管理装置は、新規乗場呼びが発生した場合に、給電階で充電可能なバッテリが設置された複数のかごの現在の運行計画及びバッテリ残量に基づいて、複数のかごのうち新規乗場呼びへのサービスを含めて仮更新された運行計画が完了するまでのバッテリ消費量よりもバッテリ残量が少ないかごをサービス不可かごと判定する判定部と、サービス不可かごでないかご毎に、新規乗場呼びへのサービスを含めて仮更新された運行計画が完了するまでのバッテリ消費量と現在の運行計画が完了するまでのバッテリ消費量との差分を算出する差分計算部と、差分計算部によって算出されたバッテリ消費量の差分に基づいて、サービス不可かごでないかごのいずれか１つに新規乗場呼びを割り当てる呼び割当部と、を備える。
【発明の効果】
【０００７】
この発明によれば、差分計算部によって算出されたバッテリ消費量の差分に基づいて、サービス不可かごでないかごのいずれか１つに新規乗場呼びが割り当てられる。このため、バッテリが設置された複数のかごを備えたエレベーターシステムにおいて運行効率を向上させることができる。
【図面の簡単な説明】
【０００８】
【図１】実施の形態１におけるエレベーターシステムの構成図である。
【図２】実施の形態１における群管理装置の構成図である。
【図３】実施の形態１における群管理装置の全体処理の一例を示すシーケンス図である。
【図４】実施の形態１における判定部の動作例を示すフローチャートである。
【図５】実施の形態１における差分計算部の動作例を示すフローチャートである。
【図６】実施の形態１における呼び割当部の動作例を示すフローチャートである。
【図７】実施の形態２における群管理装置の構成図である。
【図８】実施の形態２における群管理装置の全体処理の一例を示すシーケンス図である。
【図９】実施の形態２における判定部の動作例を示すフローチャートである。
【図１０】実施の形態２における待ち時間計算部の動作例を示すフローチャートである。
【図１１】実施の形態２における呼び割当部の動作例を示すフローチャートである。
【図１２】群管理装置のハードウェア構成図である。
【発明を実施するための形態】
【０００９】
以下、添付の図面を参照して実施の形態について説明する。各図において、同一または相当する部分には同一の符号が付される。重複する説明は、適宜簡略化あるいは省略する。
【００１０】
実施の形態１．
図１は、実施の形態１におけるエレベーターシステムの構成図である。
【００１１】
エレベーターシステムは、群管理装置１、複数のかご制御装置２及び複数の呼び登録装置３を備える。呼び登録装置３は、例えば、各階のエレベーターホール又は入場ゲート等に設置される。群管理装置１は、かご制御装置２及び呼び登録装置３と電気的に接続されている。
【００１２】
図１では、１つのかご制御装置２のみが示されている。個々のかご制御装置２は、個々のエレベーターの動作を制御する。
【００１３】
個々のエレベーターは、例えば、巻上機４、かご５及び釣合おもり６を備える。かご５及び釣合おもり６は、昇降路の内部に設けられている。かご５及び釣合おもり６は、巻上機４に巻き掛けられたロープによって昇降路内に吊り下げられている。かご５及び釣合おもり６は、巻上機４が駆動することにより昇降する。巻上機４は、対応するかご制御装置２によって制御される。
【００１４】
呼び登録装置３は、乗客による呼び登録情報の入力を受け付ける。呼び登録情報は、例えば、目的階もしくは行先方向を含む。呼び登録装置３は、例えば、ボタン等の操作部又は無線通信で情報を認識するセンサ等を備える。乗客は、呼び登録装置３の操作部を操作することで呼び登録情報を入力してもよい。乗客は、ＩＤタグ、ＩＤカード又は携帯端末等から送信される呼び登録情報を呼び登録装置３のセンサに読み取らせることで呼び登録情報を入力してもよい。
【００１５】
呼び登録装置３は、入力された呼び登録情報に基づいて乗場呼びを生成する。乗場呼びは、例えば、出発階及び目的階を含む。乗場呼びは、例えば、目的階の代わりに行先方向を含んでもよい。呼び登録装置３は、生成された乗場呼びを群管理装置１に送信する。
【００１６】
群管理装置１は、呼び登録装置３から受信した乗場呼びに対して１つの割当かごを選択する。群管理装置１は、当該割当かごに対応するかご制御装置２に当該乗場呼びを送信する。
【００１７】
かご制御装置２は、群管理装置１から受信した乗場呼びに基づいて巻上機４に駆動指令を出力する。当該巻上機４が駆動することにより、かご５が上下方向に移動し当該乗場呼びに応答する。
【００１８】
かご５には、バッテリ７及び受電装置８が設置されている。昇降路内には、少なくとも１つの送電装置９が設置されている。送電装置９は、電源１０に接続されている。送電装置９が設置されている階を「給電階」とも呼ぶ。
【００１９】
バッテリ７は、かご５に設けられた機器を動作させるために必要な電力を供給する。バッテリ７は、例えば、かごドアの戸開閉装置及び照明機器等に電力を供給する。バッテリ７は、かご５の運行に伴い消費されるため、必要に応じて充電される。バッテリ７は、給電階で充電可能である。
【００２０】
受電装置８は、かご５が給電階に停止している状態において、送電装置９と対向する。送電装置９は、例えば、対向する受電装置８に対して非接触で電力を伝送する。受電装置８は、送電装置９から受け取った電力をバッテリ７に充電する。
【００２１】
群管理装置１は、例えば、乗場呼び又は各かご５のバッテリ残量等に基づいて、バッテリ７への給電の要否を判断する。群管理装置１は、必要に応じて給電走行をかご制御装置２に指示する。給電走行は、かご５を給電階に移動させることである。
【００２２】
図２は、実施の形態１における群管理装置の構成図である。
【００２３】
群管理装置１は、呼び取得部１１、運行計画取得部１２、バッテリ残量取得部１３、判定部１４、差分計算部１５及び呼び割当部１６を備える。
【００２４】
呼び取得部１１は、呼び登録装置３から乗場呼びを取得する。呼び取得部１１は、乗場呼びを判定部１４に送信する。
【００２５】
運行計画取得部１２は、複数のかご制御装置２から各かご５の現在の運行計画を取得する。かご５の運行計画は、例えば、当該かご５の現在位置及び予定停止階を示す情報を含む。運行計画取得部１２は、各かご５の現在の運行計画を判定部１４に送信する。
【００２６】
かご５の現在位置は、例えば、建物の階として表される。かご５の現在位置は、例えば、「１階と２階の間」のように、階と階の間の位置として表すこともできる。
【００２７】
例えば、モータエンコーダを巻上機４等が備えている場合には、当該モータエンコーダを利用して検出されるかご相対位置をかご５の現在位置としてもよい。
【００２８】
例えば、レーザーを利用した距離センサをかご５又はかご制御装置２が備えている場合には、かご５から昇降路頂部もしくは下部までの絶対距離をかご５の現在位置としてもよい。
【００２９】
例えば、昇降路内に磁気テープ又はバーコードテープが設置され、かご５又はかご制御装置２が当該テープを読み取るセンサを備えている場合には、当該センサを利用して測定されたかご５の絶対位置をかご５の現在位置としてもよい。
【００３０】
バッテリ残量取得部１３は、複数のかご制御装置２から各かご５の現在のバッテリ残量を取得する。バッテリ残量取得部１３は、各かご５の現在のバッテリ残量を判定部１４に送信する。
【００３１】
バッテリ残量は、例えば、バッテリ７の電圧値から求めることができる。バッテリ残量は、例えば、バッテリ７が最後に充電された時刻からの経過時間及びかごドアの戸開閉回数等に基づいて推定されてもよい。
【００３２】
判定部１４は、呼び取得部１１から新規乗場呼びを取得する。判定部１４は、運行計画取得部１２から各かご５の現在の運行計画を受信する。判定部１４は、バッテリ残量取得部１３から各かご５の現在のバッテリ残量を受信する。
【００３３】
判定部１４は、新規乗場呼びへのサービスを含めて各かご５の運行計画を仮更新する。仮更新とは、かご５に新規乗場呼びが割り当てられたと仮定して運行計画を更新することである。仮更新された運行計画は、例えば、新規乗場呼びに含まれる出発階及び目的階が新たな予定停止階として現在の運行計画に追加されたものである。
【００３４】
例えば、新規乗場呼びに含まれる出発階及び目的階の両方が現在の運行計画におけるかご５の移動範囲内に存在する場合、仮更新された運行計画においては、既存の他の呼びへのサービスよりも先に新規乗場呼びへのサービスが完了し得る。例えば、新規乗場呼びに含まれる出発階及び目的階の少なくとも一方が現在の運行計画におけるかご５の移動範囲外に存在する場合、仮更新された運行計画においては、既存の他の呼びへのサービスよりも後に新規乗場呼びへのサービスが完了し得る。
【００３５】
なお、新規乗場呼びに目的階が含まれず行先方向が含まれている場合、判定部１４は、過去の実績から推定した目的階に基づいて運行計画の仮更新を行う。例えば、時間帯別及び階別に記憶された過去の累計降車人数に基づいて、新規乗場呼びを登録した乗客の目的階を確率的に推定することができる。降車人数は、例えば、かご５が積載重量計測装置を備えている場合には、当該装置による計測結果の減少量から推定することができる。降車人数は、例えば、かご内５もしくはエレベーターホールにカメラが設けられている場合には、当該カメラで撮影された画像から直接計測してもよい。
【００３６】
判定部１４は、仮更新された運行計画が完了するまでのバッテリ消費量をかご５毎に算出する。当該バッテリ消費量を「仮更新後のバッテリ消費量」とも呼ぶ。当該バッテリ消費量は、例えば、仮更新された運行計画を完了するまでに要する時間及びかごドアの戸開閉回数に基づいて算出される。戸開閉回数は、例えば、運行計画におけるかご５の停止回数から推定可能である。
【００３７】
判定部１４は、サービス可否の判定をかご５毎に行う。判定部１４は、仮更新された運行計画が完了するまでのバッテリ消費量よりも現在のバッテリ残量が少ないかご５を「サービス不可かご」と判定する。サービス不可かごは、新規乗場呼びが割り当てられると運行計画を完了する前にバッテリ残量がゼロになるかご５である。
【００３８】
判定部１４は、給電要否の判定をかご５毎に行う。判定部１４は、仮更新された運行計画の完了時のバッテリ残量が閾値よりも小さくなるかご５を「要給電かご」と判定する。要給電かごは、新規乗場呼びが割り当てられた場合の運行計画の完了後に給電階でバッテリ７を充電する必要があるかご５である。
【００３９】
給電要否の判定に用いられる上記閾値は、例えば、仮更新された運行計画の完了時に位置する階から最寄りの給電階まで移動するための給電走行でのバッテリ消費量に基づいて、かご５毎に設定される。当該バッテリ消費量は、例えば、給電走行に要する時間及び給電走行中のかごドアの戸開閉回数に基づいて、かご５毎に算出される。なお、判定部１４は、給電階の位置を特定する給電階位置情報を予め保持している。
【００４０】
判定部１４は、呼び割当部１６に対し、少なくともサービス不可かごを示す情報及び要給電かごを示す情報を送信する。判定部１４は、差分計算部１５に対し、少なくともサービス不可かごを示す情報を送信する。
【００４１】
差分計算部１５は、例えば、判定部１４から、新規乗場呼び、サービス不可かごを示す情報、サービス不可かごを除く全てのかご５の現在の運行計画、及び、サービス不可かごを除く全てのかご５についての仮更新された運行計画が完了するまでのバッテリ消費量を受信する。
【００４２】
なお、差分計算部１５は、新規乗場呼びを呼び取得部１１から直接受信してもよい。また、差分計算部１５は、サービス不可かごを除く全てのかご５の現在の運行計画を判定部１４から受信する代わりに、サービス不可かごを含む全てのかご５の現在の運行計画を運行計画取得部１２から受信してもよい。
【００４３】
差分計算部１５は、サービス不可かごでないかご５毎に、現在の運行計画が完了するまでのバッテリ消費量を算出する。当該バッテリ消費量を「仮更新前のバッテリ消費量」とも呼ぶ。当該バッテリ消費量は、例えば、現在の運行計画を完了するまでに要する時間及びかごドアの戸開閉回数に基づいて算出される。なお、現在呼びが割り当てられていないかご５の当該バッテリ消費量は、既にサービスが完了している直近の呼びに対して算出されたバッテリ消費量の値で代用してもよい。
【００４４】
差分計算部１５は、サービス不可かごでないかご５毎に、仮更新された運行計画が完了するまでのバッテリ消費量と現在の運行計画が完了するまでのバッテリ消費量との差分を算出する。つまり、差分計算部１５は、仮更新前後の運行計画におけるバッテリ消費量の差分を算出する。
【００４５】
差分計算部１５は、サービス不可かごを除く全てのかご５についてのバッテリ消費量の差分を示す情報を呼び割当部１６に送信する。
【００４６】
呼び割当部１６は、例えば、判定部１４から、新規乗場呼び、サービス不可かごを示す情報及び要給電かごを示す情報を受信する。呼び割当部１６は、差分計算部１５から、サービス不可かごを除く全てのかご５についてのバッテリ消費量の差分を示す情報を受信する。
【００４７】
なお、呼び割当部１６は、新規乗場呼びを呼び取得部１１から直接受信してもよい。
【００４８】
呼び割当部１６は、差分計算部１５によって算出されたバッテリ消費量の差分に基づいて、サービス不可かごでないかご５のいずれか１つに新規乗場呼びを割り当てる。
【００４９】
呼び割当部１６は、例えば、バッテリ消費量の差分が最小となるかご５を割当かごとして決定する。
【００５０】
呼び割当部１６は、割当かごとして決定されたかご５に対応するかご制御装置２に新規乗場呼びを送信する。
【００５１】
割当かごとして決定されたかご５が要給電かごである場合、呼び割当部１６は、当該かご５に対応するかご制御装置２に対し、新規乗場呼びへのサービスを含めて実際に更新された運行計画の完了後に当該かご５に給電走行を実施させるように指示する。
【００５２】
図３は、実施の形態１における群管理装置の全体処理の一例を示すシーケンス図である。図３には、群管理装置１の各部が送受信する上述した情報が示されている。
【００５３】
図４は、実施の形態１における判定部の動作例を示すフローチャートである。
【００５４】
ステップＳ１０１では、新規乗場呼び、各かご５の運行計画及び各かご５のバッテリ残量の受信が行われる。
【００５５】
ステップＳ１０２からステップＳ１０７までの処理は、群管理装置１によって管理される全てのかご５に対して繰り返される。
【００５６】
ステップＳ１０２では、運行計画が仮更新される。
【００５７】
ステップＳ１０３では、仮更新された運行計画に基づいて仮更新後のバッテリ消費量が算出される。
【００５８】
ステップＳ１０４では、仮更新後のバッテリ消費量よりも現在のバッテリ残量の方が少ないか否かが判定される。つまり、対象のかご５へ新規乗場呼びを割り当てることができるか否かが判定される。
【００５９】
ステップＳ１０４において、仮更新後のバッテリ消費量よりも現在のバッテリ残量の方が少ないと判定された場合、ステップＳ１０５が実施される。
【００６０】
ステップＳ１０５では、対象のかご５がサービス不可かごに分類される。
【００６１】
ステップＳ１０４において、仮更新後のバッテリ消費量よりも現在のバッテリ残量の方が少なくないと判定された場合、ステップＳ１０６が実施される。
【００６２】
ステップＳ１０６では、仮更新された運行計画の完了時のバッテリ残量が閾値よりも小さいか否かが判定される。つまり、仮更新された運行計画の完了後に対象のかご５のバッテリ７を充電する必要があるか否かが判定される。
【００６３】
ステップＳ１０６において、仮更新された運行計画の完了時のバッテリ残量が閾値よりも小さいと判定された場合、ステップＳ１０７が実施される。
【００６４】
ステップＳ１０７では、対象のかご５が要給電かごに分類される。
【００６５】
ステップＳ１０６において、仮更新された運行計画の完了時のバッテリ残量が閾値よりも小さくないと判定された場合、対象のかご５は、サービス不可かごにも要給電かごにも分類されない。
【００６６】
全てのかご５に対してステップＳ１０２からステップＳ１０７までの処理が完了すると、ステップＳ１０８が実施される。
【００６７】
ステップＳ１０８では、サービス不可かご及び要給電かごの情報が呼び割当部に送信される。
【００６８】
ステップＳ１０９では、サービス不可かごの情報が差分計算部に送信される。
【００６９】
図５は、実施の形態１における差分計算部の動作例を示すフローチャートである。
【００７０】
ステップＳ２０１では、新規乗場呼び、サービス不可かごの情報、サービス不可かごを除く全てのかご５の運行計画及びサービス不可かごを除く全てのかご５の仮更新後バッテリ消費量の受信が行われる。
【００７１】
ステップＳ２０２及びステップＳ２０３の処理は、サービス不可かごを除く全てのかご５に対して繰り返される。
【００７２】
ステップＳ２０２では、仮更新前のバッテリ消費量が算出される。
【００７３】
ステップＳ２０３では、仮更新前後のバッテリ消費量の差分が算出される。
【００７４】
サービス不可かごを除く全てのかご５に対してステップＳ２０２及びステップＳ２０３の処理が完了すると、ステップＳ２０４が実施される。
【００７５】
ステップＳ２０４では、サービス不可かごを除く各かご５のバッテリ消費量差分が呼び割当部１６に送信される。
【００７６】
図６は、実施の形態１における呼び割当部の動作例を示すフローチャートである。
【００７７】
ステップＳ３０１では、新規乗場呼び、サービス不可かごの情報、要給電かごの情報、及びサービス不可かごを除く各かご５のバッテリ消費量差分の受信が行われる。
【００７８】
ステップＳ３０２では、サービス不可かごでないかご５の中でバッテリ消費量差分が最小となるかご５が割当かごとして決定される。
【００７９】
ステップＳ３０３では、割当かごに対応するかご制御装置２に新規乗場呼びが送信される。これにより、割当かごの運行計画が新規乗場呼びへのサービスを含んだ内容として実際に更新される。
【００８０】
ステップＳ３０４では、割当かごが要給電かごであるか否かが判定される。
【００８１】
ステップＳ３０４において、割当かごが要給電かごであると判定された場合、ステップＳ３０５が実施される。
【００８２】
ステップＳ３０５では、割当かごに対応するかご制御装置２に対して、運行計画の完了後に給電走行を実施させるよう指示がなされる。
【００８３】
ステップＳ３０４において、割当かごが要給電かごでないと判定された場合、ステップＳ３０５は実施されない。
【００８４】
以上で説明した実施の形態１によれば、判定部１４は、新規乗場呼びが発生した場合に、給電階で充電可能なバッテリ７が設置された複数のかご５のそれぞれの現在の運行計画及びバッテリ残量に基づいて、複数のかご５のうち新規乗場呼びへのサービスを含めて仮更新された運行計画が完了するまでのバッテリ消費量よりもバッテリ残量が少ないかご５をサービス不可かごと判定する。差分計算部１５は、サービス不可かごでないかご５毎に、新規乗場呼びへのサービスを含めて仮更新された運行計画が完了するまでのバッテリ消費量と新規乗場呼びへのサービスを含まない現在の運行計画が完了するまでのバッテリ消費量との差分を算出する。呼び割当部１６は、差分計算部１５によって算出されたサービス不可かごでないかご５毎のバッテリ消費量の差分に基づいて、サービス不可かごでないかご５のいずれか１つに新規乗場呼びを割り当てる。つまり、実施の形態１によれば、かご５に新規乗場呼びが割り当てられた場合及び割り当てられなかった場合のバッテリ消費量のシミュレーション結果に基づいて割当かごが決定される。このため、バッテリ７が設置された複数のかご５を備えたエレベーターシステムにおいて運行効率を向上させることができる。
【００８５】
また、呼び割当部１６は、例えば、サービス不可かごでないかご５のうちバッテリ消費量の差分が最小となるかご５に新規乗場呼びを割り当てる。この場合、新規乗場呼びが発生した際に、バッテリ消費量の増分が最も小さいかご５に優先的に新規乗場呼びが割り当てられるため、給電走行の実施回数が最低限に抑えられる。その結果、運行効率を向上させることができる。
【００８６】
また、判定部１４は、複数のかご５のうち新規乗場呼びへのサービスを含めて仮更新された運行計画の完了時に位置する階から給電階まで移動するための給電走行でのバッテリ消費量に基づく閾値よりも仮更新された運行計画の完了時のバッテリ残量が小さくなるかご５を要給電かごと判定する。呼び割当部１６は、要給電かごに新規乗場呼びを割り当てた場合には、新規乗場呼びへのサービスを含めて実際に更新された運行計画の完了後に当該かごに給電走行を実施させるように当該かごに対応するかご制御装置２に対して指示する。このため、不必要な給電走行を実施することなく、残量が低下しているバッテリ７に対して確実に給電することができる。
【００８７】
また、判定部１４は、例えば、給電走行に要する時間及び給電走行中のかごドアの戸開閉回数に基づいて、給電走行でのバッテリ消費量をかご５毎に算出する。この場合、かご５の戸開閉装置及び照明機器等の動作に起因するバッテリ消費量を算出できる。
【００８８】
また、差分計算部１５は、例えば、サービス不可かごでないかご５毎に、現在の運行計画を完了するまでに要する時間及び現在の運行計画におけるかごドアの戸開閉回数に基づいて、現在の運行計画が完了するまでのバッテリ消費量を算出する。この場合、かご５の戸開閉装置及び照明機器等の動作に起因するバッテリ消費量を算出できる。
【００８９】
また、判定部１４は、例えば、新規乗場呼びが出発階及び行先方向を示し目的階を示していない場合に、時間帯別及び階別に記憶された過去の累計降車人数に基づいて新規乗場呼びを登録した乗客の目的階を推定し、当該出発階及び推定された当該目的階に基づいて複数のかご５の運行計画を新規乗場呼びへのサービスを含んだ内容に仮更新する。この場合、呼び登録装置３が目的階の入力を受け付ける機能を有していなくとも、バッテリ消費量の差分を算出することが可能となる。
【００９０】
実施の形態２．
以下、実施の形態２について説明する。実施の形態１と重複する説明は適宜省略する。
【００９１】
図７は、実施の形態２における群管理装置の構成図である。
【００９２】
実施の形態２における群管理装置１は、実施の形態１における構成に加えて、待ち時間計算部１７を備える。
【００９３】
実施の形態２において、判定部１４は、差分計算部１５及び待ち時間計算部１７に対し、少なくともサービス不可かごを示す情報を送信する。
【００９４】
待ち時間計算部１７は、例えば、判定部１４から、新規乗場呼び、サービス不可かごを示す情報及びサービス不可かごを除く全てのかご５の現在の運行計画を受信する。
【００９５】
なお、待ち時間計算部１７は、新規乗場呼びを呼び取得部１１から直接受信してもよい。また、待ち時間計算部１７は、サービス不可かごを除く全てのかご５の現在の運行計画を判定部１４から受信する代わりに、サービス不可かごを含む全てのかご５の現在の運行計画を運行計画取得部１２から受信してもよい。
【００９６】
待ち時間計算部１７は、例えば、判定部１４と同様にして、サービス不可かごを除く全てのかご５の運行計画を仮更新する。待ち時間計算部１７は、運行計画の仮更新を行う代わりに、仮更新された運行計画を示す情報を判定部１４から受信してもよい。
【００９７】
待ち時間計算部１７は、サービス不可かごでないかご５毎に、仮更新された運行計画における新規乗場呼びを登録した乗客の待ち時間を算出する。当該待ち時間は、新規乗場呼びが登録された時刻から仮更新された運行計画において新規乗場呼びが登録された階にかご５が到着する時刻までの経過時間に相当する。
【００９８】
待ち時間計算部１７は、サービス不可かごを除く全てのかご５についての待ち時間を示す情報を呼び割当部１６に送信する。
【００９９】
実施の形態２において、呼び割当部１６は、待ち時間計算部１７から、サービス不可かごを除く全てのかご５についての待ち時間を示す情報を受信する。
【０１００】
実施の形態２において、呼び割当部１６は、差分計算部１５によって算出されたバッテリ消費量差分及び待ち時間計算部１７によって算出された待ち時間に基づいて、サービス不可かごでないかご５のいずれか１つに新規乗場呼びを割り当てる。
【０１０１】
実施の形態２において、呼び割当部１６は、例えば、サービス不可かごでないかご５毎に評価値ＶＡＬを算出し、評価値ＶＡＬが最小となるかご５を割当かごとして決定する。評価値ＶＡＬは、バッテリ消費量差分ＢＣ、待ち時間ＷＴ、第１係数α及び第２係数βを用いて、下記の式で算出される。第１係数α及び第２係数βは、例えば、α＝０．７、β＝０．３のように予め設定しておけばよい。
ＶＡＬ＝α×ＢＣ＋β×ＷＴ
【０１０２】
実施の形態２において、呼び割当部１６は、例えば、バッテリ残量が多いほど、バッテリ消費量の優先度を下げるために、第２係数βに対する第１係数αの比が小さくなるように前記第１係数及び前記第２係数を動的に決定してもよい。呼び割当部１６は、例えば、バッテリ残量が少ないほど、バッテリ消費量の優先度を上げるために、第２係数βに対する第１係数αの比が大きくなるように前記第１係数及び前記第２係数を動的に決定してもよい。
【０１０３】
図８は、実施の形態２における群管理装置の全体処理の一例を示すシーケンス図である。図８には、群管理装置１の各部が送受信する上述した情報が示されている。
【０１０４】
図９は、実施の形態２における判定部の動作例を示すフローチャートである。
【０１０５】
ステップＳ４０１からステップＳ４０８は、図４におけるステップＳ１０１からステップＳ１０８と同様である。
【０１０６】
ステップＳ４０９では、サービス不可かごの情報が差分計算部１５及び待ち時間計算部１７に送信される。
【０１０７】
図１０は、実施の形態２における待ち時間計算部の動作例を示すフローチャートである。
【０１０８】
ステップＳ５０１では、新規乗場呼び、サービス不可かごの情報及びサービス不可かごを除く全てのかご５の運行計画の受信が行われる。
【０１０９】
ステップＳ５０２の処理は、サービス不可かごを除く全てのかご５に対して繰り返される。
【０１１０】
ステップＳ５０２では、仮更新後の運行計画に基づいて待ち時間が算出される。
【０１１１】
サービス不可かごを除く全てのかご５に対してステップＳ５０２の処理が完了すると、ステップＳ５０３が実施される。
【０１１２】
ステップＳ５０３では、サービス不可かごを除く各かご５の待ち時間が呼び割当部１６に送信される。
【０１１３】
図１１は、実施の形態２における呼び割当部の動作例を示すフローチャートである。
【０１１４】
ステップＳ６０１では、新規乗場呼び、サービス不可かごの情報、要給電かごの情報、サービス不可かごを除く各かご５のバッテリ消費量差分及びサービス不可かごを除く各かご５の待ち時間の受信が行われる。
【０１１５】
ステップＳ６０２では、サービス不可かごでないかご５の中でバッテリ消費量差分及び待ち時間に基づく評価値が最小となるかご５が割当かごとして決定される。
【０１１６】
ステップＳ６０３からステップＳ６０５は、図６におけるステップＳ３０３からステップＳ３０５と同様である。
【０１１７】
以上で説明した実施の形態２によれば、待ち時間計算部１７は、例えば、サービス不可かごでないかご５毎に、新規乗場呼びが登録された時刻から新規乗場呼びへのサービスを含めて仮更新された運行計画において新規乗場呼びが登録された階にかご５が到着する時刻までの経過時間である待ち時間を算出する。呼び割当部１６は、サービス不可かごでないかご５毎に、バッテリ消費量の差分に第１係数を乗算して得た値と待ち時間に第２係数を乗算して得た値との和を評価値として算出し、サービス不可かごでないかご５のうち評価値が最小となるかご５に新規乗場呼びを割り当てる。この場合、新規乗場呼びが発生した際に、バッテリ消費量の増分及び待ち時間を考慮して割当かごが決定される。その結果、乗客の利便性が低下することを抑制しつつ、運行効率を向上させることができる。
【０１１８】
また、呼び割当部１６は、例えば、バッテリ残量が少ないほど第２係数に対する第１係数の比が大きくなるように第１係数及び第２係数を設定する。この場合、バッテリ残量に応じてバッテリ消費量の優先度を動的に決定することができる。
【０１１９】
また、待ち時間計算部１７は、例えば、新規乗場呼び及び既存乗場呼びに対応する全乗客の待ち時間の合算値について、仮更新前後の差分を算出してもよい。待ち時間計算部１７は、例えば、サービス不可かごを除く全てのかご５についての当該差分を示す情報を待ち時間ＷＴの代わりに呼び割当部１６に送信してもよい。呼び割当部１６は、例えば、サービス不可かごでないかご５毎に当該差分を用いて評価値ＶＡＬを算出し、評価値ＶＡＬが最小となるかご５を割当かごとして決定してもよい。この場合、複数のエレベーターの全体的な待ち時間を最適化することができる。
【０１２０】
図１２は、群管理装置のハードウェア構成図である。
【０１２１】
群管理装置１における呼び取得部１１、運行計画取得部１２、バッテリ残量取得部１３、判定部１４、差分計算部１５、呼び割当部１６及び待ち時間計算部１７の各機能は、処理回路により実現される。処理回路は、専用ハードウェア５０であってもよい。処理回路は、プロセッサ５１およびメモリ５２を備えていてもよい。処理回路は、一部が専用ハードウェア５０として形成され、更にプロセッサ５１およびメモリ５２を備えていてもよい。図１２は、処理回路が、その一部が専用ハードウェア５０として形成され、プロセッサ５１およびメモリ５２を備えている場合の例を示している。
【０１２２】
処理回路の少なくとも一部が、少なくとも１つの専用ハードウェア５０である場合、処理回路は、例えば、単一回路、複合回路、プログラム化したプロセッサ、並列プログラム化したプロセッサ、ＡＳＩＣ、ＦＰＧＡ、またはこれらを組み合わせたものが該当する。
【０１２３】
処理回路が少なくとも１つのプロセッサ５１および少なくとも１つのメモリ５２を備える場合、群管理装置１の各機能は、ソフトウェア、ファームウェア、またはソフトウェアとファームウェアとの組み合わせにより実現される。ソフトウェアおよびファームウェアはプログラムとして記述され、メモリ５２に格納される。プロセッサ５１は、メモリ５２に記憶されたプログラムを読み出して実行することにより、各部の機能を実現する。プロセッサ５１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰとも呼ぶ。メモリ５２は、例えば、ＲＡＭ、ＲＯＭ、フラッシュメモリー、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等が該当する。
【０１２４】
このように、処理回路は、ハードウェア、ソフトウェア、ファームウェア、またはこれらの組み合わせによって、群管理装置１の各機能を実現することができる。なお、かご制御装置２及び呼び登録装置３の各機能も、図１２に示す処理回路と同様の処理回路により実現される。
【産業上の利用可能性】
【０１２５】
以上のように、この発明は、バッテリが設置された複数のかごを備えたエレベーターシステムに利用できる。
【符号の説明】
【０１２６】
１  群管理装置
２  かご制御装置
３  呼び登録装置
４  巻上機
５  かご
６  釣合おもり
７  バッテリ
８  受電装置
９  送電装置
１０  電源
１１  呼び取得部
１２  運行計画取得部
１３  バッテリ残量取得部
１４  判定部
１５  差分計算部
１６  呼び割当部
１７  待ち時間計算部
５０  専用ハードウェア
５１  プロセッサ
５２  メモリ
【図１】
2020100229.tif 000003
【図２】
2020100229.tif 000004
【図３】
2020100229.tif 000005
【図４】
2020100229.tif 000006
【図５】
2020100229.tif 000007
【図６】
2020100229.tif 000008
【図７】
2020100229.tif 000009
【図８】
2020100229.tif 000010
【図９】
2020100229.tif 000011
【図１０】
2020100229.tif 000012
【図１１】
2020100229.tif 000013
【図１２】
2020100229.tif 000014
【国際調査報告】
2020100229.tif 000015
2020100229.tif 000016